(57)【要約】【課題】  本発明はマスカラブラシに関する。【解決手段】  睫毛にマスカラ液を塗布するために塗布部を有する塗布用ブラシと、睫毛を整えるためにコームを有する整え用ブラシとが、一つのブラシ棒に形成されてなり、マスカラ液の塗布及び睫毛の整えを同時に行うことができるので、睫毛にクリーン、ロングラッシュ、ボリューム及びカーリングの効果を一度の過程で便利に表現することができるのみならず、簡単な構造により製作工程が比較的に単純で、それによって結合状態が強固で、使用者に安定感を与えるマスカラブラシに関する。【選択図】        図１
2004329946.tif 000002
【特許請求の範囲】
【請求項１】
マスカラ液を塗布するようにロッド２１の外周面に塗布部７が形成された塗布用ブラシ３と；
前記塗布用ブラシ３と結合する固定棒４０、５０、８０、９０、及び、前記固定棒４０、５０、８０、９０の外周面に櫛の歯状のコーム８が形成された整え用ブラシ４と；を含み、
前記塗布用ブラシ３には、前記塗布部７が前記ロッド２１の縦方向に切断された切断部３１、３２が形成され；
前記切断部３１、３２には前記コーム８が位置し、前記塗布用ブラシ３と整え用ブラシ４とが一体になることを特徴とするマスカラブラシ。
【請求項２】
第１項において、
前記塗布用ブラシ３のロッド２１は、金属ワイヤの捻りでなされ、多数の毛を前記ワイヤの間に介在した後、前記ワイヤの捻りで塗布部７が固定されて形成されることを特徴とするマスカラブラシ。
【請求項３】
第１項において、
前記塗布用ブラシ３のロッド２１は、合成樹脂からなり、前記ロッド２１の外周面に塗布部７が形成されるように射出成形されることを特徴とするマスカラブラシ。
【請求項４】
第１項において、
前記固定棒４０は、前記塗布用ブラシ３の切断部３１に対応する大きさに形成され、前記固定棒４０の上端には、前記ロッド２１が挿入固定されるように挟み込みホール４２が形成され、前記固定棒４０の下端には、前記ロッド２１の塗布部７が形成された部分の先端が挿入固定されるように挟み込み溝４３が形成され、前記固定棒４０の側面４１には、コーム８が前記固定棒４０の縦方向に形成されることを特徴とするマスカラブラシ。
【請求項５】
第１項において、
前記固定棒５０は、円筒形に形成され、前記固定棒５０の中心には前記ロッド２１が挿入固定されるように縦方向に挿入ホール５２が形成され、前記固定棒５０の下端には、前記ロッド２１の塗布部７が形成された先端が挿入固定されるように挿入溝５３が形成され、前記固定棒５０の両側には、前記塗布用ブラシ３の塗布部７が外部に突出するように開放窓５４が穿孔形成され、前記固定棒５０の側面５１には、コーム８が前記固定棒５０の縦方向に形成されることを特徴とするマスカラブラシ。
【請求項６】
第２項において、
前記ロッド２１の塗布部７の先端が取り除かれ、前記ロッド２１にリング状の環２２が露出されて形成されることを特徴とするマスカラブラシ。
【請求項７】
第３項において、
前記塗布部７が射出成形されたロッド２１の先端には、リング状の環２２が穿孔形成されることを特徴とするマスカラブラシ。
【請求項８】
第６項又は第７項において、
前記塗布用ブラシ３と結合する整え用ブラシ４は、
前記塗布用ブラシ３を固定支持する固定棒８０と、前記固定棒８０の側面８１の外周面に櫛の歯状に形成されたコーム８とからなり、
前記固定棒８０は、前記塗布用ブラシ３の切断部３１に対応する大きさに形成され、前記固定棒８０の上端は、前記ロッド２１が挿入固定されるように挟み込みホール８２が形成され、前記側面８１の下部の内周面には、前記ロッド２１の環２２に挿入固定されるように結合片８５が突出形成されることを特徴とするマスカラブラシ。
【請求項９】
第６項又は第７項において、
前記塗布用ブラシ３と結合する整え用ブラシ４は、
前記塗布用ブラシ３を固定支持する固定棒９０と、前記固定棒９０の側面９１の外周面に櫛の歯状に形成されたコーム８とからなり、
前記固定棒９０は管状に形成され、前記固定棒９０の中心には、前記塗布用ブラシ３のロッド２１が挿入されるように縦方向に挿入ホール９２が形成され、前記固定棒９０の両側には、前記塗布用ブラシ３の塗布部７が外部に突出するように開放窓９４が穿孔形成され、前記側面９１の下部には、前記ロッド２１の環２２に挿入固定されるように結合片９５が突出形成されることを特徴とするマスカラブラシ。
【請求項１０】
第１項〜第９項において、
前記切断部３１は、前記塗布用ブラシ３の横断面を中心に３０°〜１２０°の範囲で形成されることを特徴とするマスカラブラシ。
【請求項１１】
第１項〜第９項において、
前記切断部３２は、前記塗布用ブラシ３の横断面を中心にして両側が対称をなす部分の塗布部７が切断形成されることを特徴とするマスカラブラシ。
【請求項１２】
第１項〜第９項において、
前記整え用ブラシ４に形成されたコーム８は、前記固定棒４０、５０、８０、９０の縦方向に一つ又は複数の列に形成されることを特徴とするマスカラブラシ。
【請求項１３】
第１項〜第９項において、
前記固定棒４０、５０、８０、９０に複数の列に形成されたコーム８は、各列がジグザグ状に形成されることを特徴とするマスカラブラシ。
【発明の詳細な説明】
【技術分野】
【０００１】
本発明は、マスカラブラシに関し、マスカラ液を睫毛に塗布する手段である塗布部と、睫毛を整える手段である櫛の歯状のコーム（COMB）とが一つのブラシ棒に形成され、睫毛にマスカラ液の塗布及び整えを一度に行うことができるマスカラブラシに関する。
【背景技術】
【０００２】
マスカラは、女性が使用する化粧品の一種で、目元の美感を引き立てるように睫毛に多様な色のマスカラ液を塗るために用いるものであり、一般的に、図１８に示すように、マスカラ液が貯蔵される容器１５０と、前記容器１５０を開閉するためのキャップ１６０と、前記キャップ１６０の下部に突出する棒状のブラシ棒１２０と、及び、前記ブラシ棒１２０に形成されたブラシ１３０とからなり、前記キャップ１６０と容器１５０との結合又は分離によって前記ブラシ１３０にマスカラ液を付けて使用している。
【０００３】
特に、上述のように形成されたマスカラブラシ１００は、毛の長さ及び形状により、睫毛のボリューム（Volume  睫毛を濃く見せるようにする効果）、カール（Curl  睫毛の毛先を上方に巻き上げられるようにする効果）、ロングラッシュ（Long lash  睫毛を長く見せるようにする効果）、クリーン（Clean  睫毛が固まりつかないようにする効果）などの多様な機能に合うように製作されている。
【０００４】
通常使用される従来のマスカラブラシは、図１８に示すように、通常、一定の長さを有するブラシ１３０の毛１３１を二本のワイヤの間に位置させ、前記ワイヤを数回捻り、ブラシ１３０の断面がワイヤ軸１２１を中心に円形、三角形又は扇形のような多様な形態を有するように製作し、前記ブラシ１３０の断面形状によってそれぞれボリューム、カール、ロングラッシュ又はクリーンの効果が得られた。
【０００５】
マスカラブラシの基本的な役割は、粘性を有するマスカラ液が睫毛に均等に塗布され、睫毛同士が固まりつかないために、ブラシによる梳きの効果に優れなければならないが、上述のような従来のマスカラブラシ１００は、毛１３１がワイヤの捻りで螺旋状に放射され、前記毛１３１の間にマスカラ液を多量つけるようになるので、睫毛にボリューム感を与えることができるが、マスカラ液の粘性により睫毛同士が固まりつくこととなり、別の整え用器具を用いて睫毛を整えるか、又は前記マスカラ液を消して再び化粧しなければならない不都合があった。
【０００６】
上述のようなマスカラブラシによる睫毛同士の固まりつき現象を解決したマスカラブラシ２００は、図１９に示すように、ブラシ棒２２０の下部は上部よりも小径を有するように形成され、前記下部の一面にはブラシ２３０が形成されるが、前記ブラシ２３０の毛２３１は、前記ブラシ棒２２０のような合成樹脂材質が使用され、別の製造装置で成形され、前記ブラシ棒２２０に固定されるものであり、前記毛２３１は、前記ブラシ棒２２０の下部の一面に長さ方向に対して一列に形成され、一字状の櫛のような形状を有するので、マスカラ液を睫毛に塗布するときに前記一字状のブラシ２３０が梳くように睫毛の間に浸透しながら塗布され、クリーン及びロングラッシュの効果が得られる特徴がある。
【０００７】
しかし、前記マスカラブラシ２００の毛２３１は、ポリアミドなどの合成樹脂が素材に用いられたブラシ棒２２０と類似した素材で形成され、前記ブラシ２３０をなすための合成樹脂を細い筋に分岐成形させて毛２３１が完成されるが、合成樹脂の特性上、前記毛２３１は、図１８に示される従来のマスカラブラシ１００の毛１３１のように細く成形させることができないのみならず、毛２３１と毛２３１との間隔が広くて少量のマスカラ液が毛につけている状態であるので、睫毛が毛深い又は睫毛が長ければマスカラ液を塗るのが難しく、また、前記毛２３１が一字状に形成されており、睫毛にマスカラ液を塗布するとき、まるで梳くように塗布することとなり、睫毛の固まりつき現象は防止することができるが、睫毛のボリューム感及びカーリングの効果が劣るようになる問題点があった。
【発明の開示】
【発明が解決しようとする課題】
【０００８】
本発明は、前述のような従来の問題点を解決するために創案されたもので、本発明の目的は、睫毛にマスカラ液を塗布するために塗布部を有する塗布用ブラシと、睫毛を整えるためにコームを有する整え用ブラシとが、一つのブラシ棒に形成されており、マスカラ液の塗布及び睫毛の整えを同時に行うことができるので、睫毛にクリーン、ロングラッシュ、ボリューム及びカーリングの効果を一度の過程で便利に表現することができるのみならず、簡単な構造により製作工程が比較的に単純で、それによって結合状態が強固で、使用者に安定感を与えるマスカラブラシを提供することにある。
【課題を解決するための手段】
【０００９】
本発明の目的は、マスカラ液を塗布するようにロッドの外周面に塗布部が形成された塗布用ブラシと；前記塗布用ブラシと結合する固定棒、及び、前記固定棒の外周面に櫛の歯状のコームが形成された整え用ブラシと；を含み、前記塗布用ブラシには、前記塗布部が前記ロッドの縦方向に切断された切断部が形成され；前記切断部には前記コームが位置し、前記塗布用ブラシと整え用ブラシとが一体になることを特徴とするマスカラブラシによって達成される。
【００１０】
また、前記塗布用ブラシのロッドは、金属ワイヤの捻りでなされ、多数の毛を前記ワイヤの間に介在した後、前記ワイヤの捻りで塗布部が固定されて形成されることを特徴とするマスカラブラシによって達成される。
【００１１】
更に、前記塗布用ブラシのロッドは、合成樹脂からなり、前記ロッドの外周面に塗布部が形成されるように射出成形されることを特徴とするマスカラブラシによって達成される。
【００１２】
また、前記固定棒は、前記塗布用ブラシの切断部に対応する大きさに形成され、前記固定棒の上端には、前記ロッドが挿入固定されるように挟み込みホールが形成され、前記固定棒の下端には、前記ロッドの塗布部が形成された部分の先端が挿入固定されるように挟み込み溝が形成され、前記固定棒の側面には、コームが前記固定棒の縦方向に形成されることを特徴とするマスカラブラシによって達成される。
【００１３】
更に、前記固定棒は、円筒形に形成され、前記固定棒の中心には前記ロッドが挿入固定されるように縦方向に挿入ホールが形成され、前記固定棒の下端には、前記ロッドの塗布部が形成された先端が挿入固定されるように挿入溝が形成され、前記固定棒の両側には、前記塗布用ブラシの塗布部が外部に突出するように開放窓が穿孔形成され、前記固定棒の側面には、コームが前記固定棒の縦方向に形成されることを特徴とするマスカラブラシによって達成される。
【００１４】
また、前記ロッドの塗布部の先端が取り除かれ、前記ロッドにリング状の環が露出されて形成されることを特徴とするマスカラブラシによって達成される。
【００１５】
更に、前記塗布部が射出形成されたロッドの先端には、リング状の環が穿孔形成されることを特徴とするマスカラブラシによって達成される。
【００１６】
また、前記塗布用ブラシと結合する整え用ブラシは、前記塗布用ブラシを固定支持する固定棒と、前記固定棒の側面の外周面に櫛の歯状に形成されたコームとからなり、前記固定棒は、前記塗布用ブラシの切断部に対応する大きさに形成され、前記固定棒の上端は、前記ロッドが挿入固定されるように挟み込みホールが形成され、前記側面の下部の内周面には、前記ロッドの環に挿入固定されるように結合片が突出形成されることを特徴とするマスカラブラシによって達成される。
【００１７】
更に、前記塗布用ブラシと結合する整え用ブラシは、前記塗布用ブラシを固定支持する固定棒と、前記固定棒の側面の外周面に櫛の歯状に形成されたコームとからなり、前記固定棒は管状に形成され、前記固定棒の中心には、前記塗布用ブラシのロッドが挿入されるように縦方向に挿入ホールが形成され、前記固定棒の両側には、前記塗布用ブラシの塗布部が外部に突出するように開放窓が穿孔形成され、前記側面の下部には、前記ロッドの環に挿入固定されるように結合片が突出形成されることを特徴とするマスカラブラシによって達成される。
【００１８】
また、前記切断部は、前記塗布用ブラシの横断面を中心に３０°〜１２０°の範囲で形成されることを特徴とするマスカラブラシによって達成される。
【００１９】
更に、前記切断部は、前記塗布用ブラシの横断面を中心にして両側が対称をなす部分の塗布部が切断形成されることを特徴とするマスカラブラシによって達成される。
【００２０】
また、前記整え用ブラシに形成されたコームは、前記固定棒の縦方向に一つ又は複数の列に形成されることを特徴とするマスカラブラシによって達成される。
【００２１】
更に、前記固定棒に複数の列に形成されたコームは、各列がジグザグ状に形成されることを特徴とするマスカラブラシによって達成される。
【発明の効果】
【００２２】
本発明によるマスカラブラシは、ブラシ棒の一側にはマスカラ液を多量つける塗布用ブラシが形成され、前記ブラシ棒の他側には櫛の歯状のコームが形成された整え用ブラシが形成され、一つのブラシ棒に塗布及び整えの二つの機能を有するので、睫毛の化粧をするとき、一度にマスカラ液の塗布（ボリュームの効果）と整え（カール、ロングラッシュ、クリーン）を行うことができ、より簡単に化粧をすることができるマスカラブラシを提供する。
【００２３】
尚、前記整え用ブラシのコームは、一つの列又は一つ以上の列に形成され、前記塗布用ブラシでマスカラ液を塗布した後、整え用ブラシで睫毛を整えると、ボリューム及びカール、ロングラッシュ、クリーンの効果を奏する一方、コームが多数の列に形成された整え用ブラシのみを用いて睫毛にマスカラ液を塗布しても、僅かのボリューム感及びカール、ロングラッシュ、クリーンの効果を同時に奏することができる。
【発明を実施するための最良の形態】
【００２４】
以下、上記目的を具体的に実施することができる本発明によるマスカラブラシを、添付図面を参照してその実施例を詳述すれば次のようである。
【００２５】
図１は、本発明の第１実施例として、本発明によるマスカラブラシが容器と分離された状態を示す図であり、この第１実施例のマスカラブラシ１は、マスカラ液が貯蔵された容器５と、前記容器５を開閉するキャップ６と、前記キャップ６の下部に突出したブラシ棒２と、前記ブラシ棒２の下部に形成された塗布用ブラシ３及び整え用ブラシ４とからなる。
【００２６】
前記キャップ６に固定されたブラシ棒２は、容器５に挿入され、前記塗布用ブラシ３にマスカラ液をつけるように所定の長さを有し、前記容器５の入口部で入出可能に前記容器５の入口部よりも小径を有する棒状に形成されており、前記ブラシ棒２の下端には、塗布用ブラシ３が固定されたロッド２１と、整え用ブラシ４が形成された固定棒４０とが結合された状態である。
【００２７】
図２は、前記塗布用ブラシと整え用ブラシとが分離されている状態を示す正面図である。
【００２８】
前記塗布用ブラシ３は、マスカラ液をつけて睫毛に塗るための手段であり、前記塗布用ブラシ３は、一定の長さを有する多数の毛を、中央が折り曲げられて重なった金属ワイヤの間に直交方向に介在した後、前記ワイヤをネジ線状に一定回数を捻れば、前記毛は、金属ワイヤの捻りで形成されたロッド２１に放射状に固定されて塗布部７を形成する。
【００２９】
また、前記塗布用ブラシ３の一側の垂直方向（塗布用ブラシ３の横断面に対する縦方向をいう）は、図３に示すように、前記ロッド２１に使用されたワイヤ軸で固定された塗布部７を切断した切断部３１が形成されている。このとき、前記切断部３２は、前記塗布用ブラシ３の横断面の中央を頂点にして約３０°〜１２０°の角度範囲内で垂直方向に塗布部７が切断される。
【００３０】
更に、上記のように形成された塗布用ブラシ３は、ブラシ棒２の下部に固定結合され、前記ブラシ棒２と一体になる。
【００３１】
図２に示す前記整え用ブラシ４は、塗布用ブラシ３でマスカラ液がつけられている睫毛を整えるための手段であり、櫛の歯状のコーム（COMB）８が固定棒４０の外周面に突出形成されている。
【００３２】
前記固定棒４０は、前記コーム８を前記塗布用ブラシ３の切断部３１に固定させるためのもので、前記固定棒４０の縦長さは、前記ブラシ棒２の下部に突出したロッド２１と同一又はやや長く形成され、前記固定棒４０の上下部には、前記固定棒４０の縦長さ部分に該当する側面４１と直角をなすように、前記ブラシ棒２の外周面の周りと同じ周りを有する上端及び下端が一側に延長形成されている。
【００３３】
前記固定棒４０の上端は、前記ロッド２１が挿入され、前記固定棒４０が塗布用ブラシ３と一体になるように挟み込みホール４２が形成され、その下端は、前記挟み込みホール４２に挿入されたロッド２１が下降し、前記ロッド２１の塗布部７の先端が挿入固定されるように挟み込み溝４３が形成されている。更に、前記固定棒４０の側面４１に形成されたコーム８は、前記塗布用ブラシ３の塗布部７の間に形成された切断部３１に位置しなければならないので、前記固定棒４０の側面４１の横断面の形状は、前記切断部３１の形状に対応するように約３０°〜１２０°の角度を有する扇形状に形成され、前記固定棒４０の全体的な形状はコ字状を有する。
【００３４】
前記コーム８は、前記固定棒４０の側面４１に垂直方向に一つ又は複数の櫛の歯状に突出形成されて睫毛を梳くためのものであり、前記コーム８は、前記塗布用ブラシ３の塗布部７がロッド２１に固定された長さ程度に、前記固定棒４５の側面に対して垂直方向に分岐成形されて一列に形成される。ここで、前記コーム８の櫛の歯は、前記固定棒４０と同じ材質を有するポリアミドを含む合成樹脂又は天然樹脂などを材料にして、精巧な金型で射出成形され、前記塗布用ブラシ３をなす塗布部７よりも厚く且つ硬く形成され、また、前記コーム８をなす櫛の歯と櫛の歯は約０．１ｍｍ〜１ｍｍの間隔で一列に形成され、前記整え用ブラシ４は、一字状の櫛のような形状を有する。
【００３５】
望ましくは、図４に示すように、前記整え用ブラシ４のコーム８は、前記固定棒４０の側面４１に対し直角方向に少なくとも一列以上の複数列に形成され、また、先頭の列をなすコーム８と次の列をなすコーム８とは、同一な水平線上に形成されることもでき、或いは、互いにずれるようにジグザグ状に形成されることもできる。
【００３６】
上記のように形成された整え用ブラシ４を前記塗布用ブラシ３に固定させるためには、先ず、前記固定棒４０の挟み込みホール４２にロッド２１を挿入し、前記塗布用ブラシ３の切断部３２に前記固定棒４０の側面４１が位置するように位置変更し、前記ロッド２１の塗布部７が形成された部分の先端を前記固定棒４０の挟み込み溝４３に挿入させ、前記固定棒４０とロッド２１とを結合する。
【００３７】
ここで、前記ロッド２１の先端には塗布部７がない状態なので、前記ロッド２１は、前記固定棒４０の挿入溝４３に無理やりに挟み込んで結合された後、接着剤による接着、又は熱による接合などの多様な方法で前記固定棒４０と固定結合される。
【００３８】
上述のように、前記塗布用ブラシ３と整え用ブラシ４とは、一つのブラシ棒２に結合され、図５及び図６に示すように、ブラシ棒２の一側には塗布用ブラシ３が形成され、他側には整え用ブラシ４が形成され、マスカラブラシ１の全体的な形状は放射状に形成される。
【００３９】
また、前記マスカラブラシ１は、その先に向かって傾斜した形状に前記塗布用ブラシ３及び整え用ブラシ４の下端部を切断し、睫毛の側部に位置する短い睫毛に一層容易に接触するようにする。
【００４０】
よって、上記のように形成されたマスカラブラシ１にマスカラ液を付けた後に使用するときは、多数の塗布部７で形成された塗布用ブラシ３に多量のマスカラ液がつくこととなるので、前記マスカラブラシ１の一側に形成された前記塗布用ブラシ３で睫毛にマスカラ液を塗布すれば、前記塗布用ブラシ３の塗布部７が睫毛に接触してマスカラ液を塗布することにより、睫毛にボリューム効果を奏し、前記マスカラブラシ１の他側に櫛の歯状に形成された整え用ブラシ４で前記睫毛を整えると、櫛の歯状のコーム８が睫毛の間に深く入って睫毛同士の固まりつきを防止すると共に、睫毛を毛先まで仕上げることとなり、ボリューム、ロングラッシュ、カール及びクリーンの効果を奏する。
【００４１】
この際、前記整え用ブラシ４に形成された一字状の櫛の形状をなすコーム８にもマスカラ液がつけられた状態なので、前記整え用ブラシ４だけを使用して睫毛にマスカラ液を塗布すれば、睫毛にロングラッシュ、カール及びクリーンの効果を奏する。
【００４２】
更に、前記整え用ブラシ４のコーム８が複数列に形成されたマスカラブラシ１を使用すれば、ジグザグ状に複数列に形成されたコーム８が睫毛の間に一層容易に浸透してマスカラ液を塗布することとなるので、前記複数列のコーム８が形成された整え用ブラシ４だけを使用しても睫毛にボリューム感、ロングラッシュ、カール及びクリーンの効果を奏する。
【００４３】
図７ａ及び図８ａは、本発明の第２実施例を示す。
【００４４】
前記塗布用ブラシ３の塗布部７は、上述のように、一定の長さを有する多数の毛を、中央が折り曲げられて重なったワイヤの間に直交方向に介在した後、前記ワイヤをネジ線状に一定回数を捻って形成したロッド２１に前記塗布部７を固定する。
【００４５】
また、図７ａ及び図７ｂに示すように、前記塗布用ブラシ３は、その横断面を中心に前記ロッド２１で固定された塗布部７の一部が互いに対称をなすように垂直方向に切断された切断部３２が形成され、前記塗布用ブラシ３の塗布部７は互いに対称をなす。
【００４６】
即ち、前記塗布用ブラシ３の横断面を四方位によって区分すれば、前記塗布用ブラシ３の南北方向に位置した塗布部７の部分が対称方向に切断されて切断部３２が形成されることにより、前記塗布用ブラシ３の塗布部７は、前記切断部３２を除いた東西方向の対称に存在する。
【００４７】
図８ａ及び図８ｂに示すように、前記整え用ブラシ４は、前記塗布用ブラシ３と結合され、マスカラ液がつけられている睫毛を整えるための手段であり、櫛の歯状のコーム８が固定棒５０の側面５１の外周面に突出形成されている。
【００４８】
前記固定棒５０は、円筒形に形成され、前記塗布用ブラシ３のロッド２１が挿入され、前記塗布用ブラシ３と結合するように長さ方向に中央を貫通する挿入ホール５２が形成され、前記ロッド２１を固定するように、前記固定棒５０の下端は、前記ロッド２１の塗布部７が形成された部分の先端が挿入固定される挿入溝５３が形成されている。更に、前記固定棒５０の側面５１は、前記切断部３２が対称形成された塗布用ブラシ３と結合したときに前記塗布用ブラシ３の塗布部７が外部に突出した状態となるように、前記固定棒５０の側面５１は、所定の大きさの開放窓５４が対称に穿孔形成されている。
【００４９】
即ち、前記固定棒５０の横断面を四方位によって区分すれば、前記固定棒５０に形成された開放窓５４は、前記塗布用ブラシ３の東西方向に形成された塗布部７に対応するように対称に開放形成され、前記固定棒５０の南北方向の側面５１には、櫛の歯状のコーム８が対称をなすように形成される。
【００５０】
よって、前記整え用ブラシ４と塗布用ブラシ３とを結合するためには、前記塗布部７が形成されたロッド２１を前記固定棒５０の挿入ホール５２に挿入すると共に、前記塗布用ブラシ３の切断部３２を前記固定棒５０の側面５１のうち閉鎖された部分に位置させ、前記塗布用ブラシ３の塗布部７は前記固定棒５０の開放窓５４に位置させた後、前記ロッド２１の塗布部７が形成された部分の先端を前記固定棒５０の挿入溝５３に挿入させ、前記固定棒５０とロッド２１とを結合する。
【００５１】
そうすると、前記塗布用ブラシ３と整え用ブラシ４とは一つのブラシ棒２に形成され、図９ａ及び図９ｂに示すように、前記ブラシ棒２の東西方向には塗布用ブラシ３の塗布部７が対称形成され、前記ブラシ棒２の南北方向には整え用ブラシ４のコーム８が対称形成されることにより、塗布用ブラシ３と整え用ブラシ４とが一体形成された前記マスカラブラシ１を用いてマスカラ液を睫毛に塗布すれば、ボリュームと共にロングラッシュ、カール及びクリーンの効果を奏する。
【００５２】
図１０ａ及び図１１ａは、第３実施例の塗布用ブラシと整え用ブラシとを分離して各々示す正面図であり、図２に示す実施例と同じ形態でなされるが、その下端部が異なった形態で形成されることを示す。
【００５３】
図１０ａは塗布用ブラシの正面図で、図１０ｂは図１０ａの側面図で、図１０ｃは図１０ａのＡ−Ａ線断面図を示す。
【００５４】
前記塗布用ブラシ３は、中央が折り曲げられて重なったワイヤの間に多数の毛を介在し、前記ワイヤをネジ線状に一定回数を捻って形成したロッド２１に毛でなされる塗布部７を固定した後、前記塗布用ブラシ３の垂直方向に３０°〜１２０°の角度範囲内で塗布部７が切断された切断部３１を形成する。
【００５５】
更に、前記ワイヤの最初の捻りによって前記ロッド２１の最下端に固定された塗布部７を取り除けば、前記ロッド２１の最下端にはリング状の環２２が露出され、前記環２２によって後述の整え用ブラシ４が結合される。
【００５６】
図１１ａは、整え用ブラシの正面図で、図１１ｂは図１１ａのＢ−Ｂ線断面図を示す。
【００５７】
前記整え用ブラシ４は、コ字状の固定棒８０と、前記固定棒８０の側面８１に形成された櫛の歯状のコーム８とで構成される。
【００５８】
前記固定棒８０の縦長さの側面８１は、前記ロッド２１と同一又はやや短く形成され、前記側面８１と垂直をなすように一側に延びた上端は、前記塗布用ブラシ３のロッド２１を結合するように挟み込みホール８２が形成され、特に、前記側面８１と垂直をなすように一側に延びた下端は、前記ロッド２１の環２２に挿入固定されるように結合片８５が突出形成される。ここで、前記固定棒８０の上端は、ブラシ棒２の下端に接触するので、前記ブラシ棒２の周りと同じ周りに形成され、また、前記固定棒８０の下端は、前記ロッド２１に形成された環２２に挿入しなければならないので、前記環２２の直径に対応する形状に形成される。
【００５９】
また、前記コーム８が形成された前記固定棒８０の側面８１の横断面の形状は、前記塗布用ブラシ３の切断部３１に位置しなければならないので、前記切断部３１の横断面の形状に対応する形状に形成される。
【００６０】
よって、図１２ａ及び図１２ｂに示すように、上記のように形成された整え用ブラシを塗布用ブラシに固定させるためには、先ず、塗布部７が形成されたロッド２１を前記固定棒８０の挟み込みホール８２に挿入し、前記塗布用ブラシ３の切断部３１に前記固定棒８０の側面８１が接するように位置変更させ、前記ロッド２１が前記固定棒８０の下端まで下降すると、前記固定棒８０の結合片８５を前記ロッド２１の環２２に挿入し、前記塗布用ブラシ３と整え用ブラシ４とを結合する。この際、前記ロッド２１の環２２に挿入された結合片８５の結合を一層強固にするため、前記環２２に挿入された結合片８５の先端を曲げ又は熱接着し、前記環２２と結合片８５との結合状態を強固に維持することができる。
【００６１】
図１３ａ及び図１４ａは、本発明の第４実施例を示すものであり、図７ａ及び図８ａにおける塗布用ブラシ３及び整え用ブラシ４と同じ形態でなされるが、その下端部が異なった形態で形成されることを示す。
【００６２】
図１３ａは、塗布用ブラシの正面図であり、図１３ｂは図１３ａのＡ'−Ａ'線断面図を示す。
【００６３】
前記塗布用ブラシ３は、中央が折り曲げられて重なったワイヤの間に多数の塗布部７を介在し、前記ワイヤをネジ線状に一定回数を捻って形成したロッド２１に前記塗布部７を固定させた後、前記塗布部７の一部が互いに対称をなすように垂直に切断された切断部３２が形成されてなる。即ち、前記塗布用ブラシ３の横断面を四方位によって区分すれば、前記塗布用ブラシ３の南北方向には切断部３２が形成され、東西方向には塗布部７が形成される。
【００６４】
更に、前記ワイヤの最初の捻りによって前記ロッド２１の最下端に固定された塗布部７を取り除けば、前記ロッド２１の最下端にはリング状の環２２が露出され、前記環２２によって後述の整え用ブラシ４が結合される。
【００６５】
図１４ａは、整え用ブラシの正面図で、図１４ｂは図１４ａのＢ'−Ｂ'線断面図を示す。
【００６６】
前記整え用ブラシ４は、円筒形の固定棒９０と、前記固定棒９０の側面９１に形成されたコーム８とで構成される。
【００６７】
前記固定棒９０は、前記塗布用ブラシ３よりも同一又はやや短い円筒形に形成され、前記塗布用ブラシ３のロッド２１が挿入され、前記塗布用ブラシ３と結合するように長さ方向に中央を貫通する挿入ホール９２が形成され、前記固定棒９０の側面９１は、前記切断部３２が対称形成された塗布用ブラシ３と結合したとき、前記塗布用ブラシ３の塗布部７が外部に突出した状態となるように、前記固定棒９０の側面９１には開放窓９４が前記側面９１の下端まで開放形成され、前記側面９１の下部の内周面には前記ロッド２１の環２２に挿入されるように結合片９５が突出形成されている。
【００６８】
より詳しくは、前記固定棒９０の側面９１は、開放窓９４の形成により両側が対称形成され、前記両側面９１の内周面の下部は支持台９６で相互連結されており、前記支持台９６の横方向には前記支持台９６と直交をなすように結合片９５が突出形成される。
【００６９】
即ち、前記固定棒９０の横断面を四方位によって区分すれば、前記固定棒９０に形成された開放窓９４は東西方向に対称形成され、前記固定棒９０の両側面９１に形成されたコーム８は南北方向に形成され、前記結合片９５は両側面に形成されたコーム８と直交をなすように前記両側面９１を連結した支持台９６の一側に突出形成されている。
【００７０】
よって、図１５ａに示すように、前記整え用ブラシと塗布用ブラシとを結合するためには、前記固定棒９０の挿入ホール９２に前記ロッド２１を挿入すると共に、前記塗布用ブラシ３の切断部３２を前記固定棒９０の側面９１のうち閉鎖された部分に位置させ、前記塗布用ブラシ３の塗布部７は、前記固定棒９０の開放窓９４に位置させる。その後、前記挿入ホール９２を介して固定棒９０の下部に下降されたロッド２１の環２２に前記固定棒９０の結合片９５を挿入して固定すれば、図１５ｂに示すように、前記ブラシ棒２の東西方向には塗布用ブラシ３の塗布部７が対称形成され、南北方向には整え用ブラシ４のコーム８が対称形成される。
【００７１】
図１６ａは、本発明の第５実施例を示すもので、前記塗布用ブラシ３の塗布部７が合成樹脂によって射出形成されたものを示す。
【００７２】
より詳しくは、前記ブラシ棒２の下部には、前記金属ワイヤからなるロッド２１と同じ周り及び長さを有するロッド２１が延長形成され、前記ロッド２１の外周面の周りにはマスカラ液を睫毛に塗布するための塗布部７が放射状に形成される。前記ロッド７は、前記ブラシ棒２と同一な材質を有するようにポリアミドなどの合成樹脂からなり、前記ロッド２１の外周面に形成された塗布部７もロッド２１と同一な素材からなり、精巧な金型で射出成形によって形成される。
【００７３】
更に、前記ロッド２１の一側の垂直方向（塗布用ブラシの横断面に対する縦方向をいう）には、図１６ｂに示すように、塗布部７が切断された切断部３１が形成されている。この際、前記切断部３１は、前記塗布用ブラシ３の横断面の中央を頂点にして約３０°〜１２０°の角度範囲内で垂直方向に塗布部７が切断される。
【００７４】
よって、上記のようにロッド２１の外周面に塗布部７が形成された塗布用ブラシ３は、第１実施例において用いられた整え用ブラシ４の固定棒４０と結合することでマスカラブラシ１が形成され、睫毛にマスカラ液を塗布することができる。
【００７５】
又は、図１６ｃに示すように、前記塗布用ブラシ３の横断面を中心にロッド２１の両側面に形成された塗布部７が互いに対称をなすように切断部３２が対称形成され、前記第２実施例において用いられた整え用ブラシ４の固定棒５０と結合してマスカラブラシ１が形成される。
【００７６】
又は、図１７ａ及び図１７ｂに示すように、前記ロッド２１の外周面の一側に塗布部７が切断された切断部３１を有し、前記ロッド２１の下端部にリング状の環２２が穿孔形成された塗布用ブラシ３は、前記第３実施例において用いられた整え用ブラシ４の固定棒８０と結合することにより、マスカラブラシ１が形成される。
【００７７】
又は、図１７ｃに示すように、前記ロッド２１の両側面に塗布部７が切断された切断部３２を有し、前記ロッド２１の下端部にリング状の環２２が穿孔形成された塗布用ブラシ３は、前記第４実施例において用いられた整え用ブラシ４の固定棒９０と結合することにより、マスカラブラシ１が形成される。
【図面の簡単な説明】
【００７８】
【図１】本発明の第１実施例によるマスカラブラシの正面図である。
【図２】図１における塗布用ブラシと整え用ブラシとが分離されている状態を示す正面図である。
【図３】図２における前記塗布用ブラシの底面図である。
【図４】図２における前記整え用ブラシに複数列のコームが形成されたことを示す斜視図である。
【図５】図２における前記塗布用ブラシと一列のコームを有する整え用ブラシとがブラシ棒に結合された状態を示す底面図である。
【図６】図２における前記塗布用ブラシと、図４における複数列のコームを有する整え用ブラシとが結合された状態を示す底面図である。
【図７ａ】本発明の第２実施例による塗布用ブラシの切断部が対称形成されたことを示す正面図である。
【図７ｂ】本発明の第２実施例による塗布用ブラシの切断部が対称形成されたことを示す底面図である。
【図８ａ】本発明の第２実施例による切断部が対称形成された塗布用ブラシに対応する形態の固定棒が形成された整え用ブラシを示す正面図である。
【図８ｂ】本発明の第２実施例による切断部が対称形成された塗布用ブラシに対応する形態の固定棒が形成された整え用ブラシを示す底面図である。
【図９ａ】図７ａ及び図８ａにおける塗布用ブラシと整え用ブラシとが結合された状態を示す正面図である。
【図９ｂ】図７ａ及び図８ａにおける塗布用ブラシと整え用ブラシとが結合された状態を示す底面図である。
【図１０ａ】本発明の第３実施例による塗布用ブラシの正面図である。
【図１０ｂ】本発明の第３実施例による塗布用ブラシの側面図である。
【図１０ｃ】本発明の第３実施例による塗布用ブラシのＡ−Ａ線断面図である。
【図１１ａ】本発明の第３実施例による整え用ブラシの正面図である。
【図１１ｂ】本発明の第３実施例による整え用ブラシのＢ−Ｂ線断面図である。
【図１２ａ】本発明の第３実施例による塗布用ブラシと整え用ブラシとが結合された状態を示す正面図である。
【図１２ｂ】本発明の第３実施例による塗布用ブラシと整え用ブラシとが結合された状態を示すＣ−Ｃ線断面図である。
【図１３ａ】本発明の第４実施例による塗布用ブラシの正面図である。
【図１３ｂ】本発明の第４実施例による塗布用ブラシのＡ'−Ａ'線断面図である。
【図１４ａ】本発明の第４実施例による整え用ブラシの正面図である。
【図１４ｂ】本発明の第４実施例による整え用ブラシのＢ'−Ｂ'線断面図である。
【図１５ａ】本発明の第４実施例による塗布用ブラシと整え用ブラシとが結合された状態を示す正面図である。
【図１５ｂ】本発明の第４実施例による塗布用ブラシと整え用ブラシとが結合された状態を示すＣ'−Ｃ'線断面図である。
【図１６ａ】本発明による塗布用ブラシの他の実施例を示す正面図である。
【図１６ｂ】本発明による塗布用ブラシの他の実施例を示す底面図である。
【図１６ｃ】本発明による塗布用ブラシの他の実施例を示す底面図である。
【図１７ａ】図１６ａにおける塗布用ブラシのロッドの下部に環が形成されたことを示す正面図である。
【図１７ｂ】図１６ａにおける塗布用ブラシのロッドの下部に環が形成されたことを示す底面図である。
【図１７ｃ】図１６ａにおける塗布用ブラシのロッドの下部に環が形成されたことを示す底面図である。
【図１８】従来のマスカラブラシを示す斜視図である。
【図１９】従来のマスカラブラシを示す斜視図である。
【符号の説明】
【００７９】
１  マスカラブラシ
２  ブラシ棒
３  塗布用ブラシ
４  整え用ブラシ
５  容器
６  キャップ
７  塗布部
８  コーム
２０  ロッド
２２  環
３１、３２  切断部
４０、５０、８０、９０  固定棒
４１、５１、８１、９１  側面
４２、８２  挟み込みホール
４３  挟み込み溝
５２、９２  挿入ホール
５３  挿入溝
５４、９４  開放窓
８５、９５  結合片
９６  支持台
【図１】
2004329946.tif 000003
【図２】
2004329946.tif 000004
【図３】
2004329946.tif 000005
【図４】
2004329946.tif 000006
【図５】
2004329946.tif 000007
【図６】
2004329946.tif 000008
【図７ａ】
2004329946.tif 000009
【図７ｂ】
2004329946.tif 000010
【図８ａ】
2004329946.tif 000011
【図８ｂ】
2004329946.tif 000012
【図９ａ】
2004329946.tif 000013
【図９ｂ】
2004329946.tif 000014
【図１０ａ】
2004329946.tif 000015
【図１０ｂ】
2004329946.tif 000016
【図１０ｃ】
2004329946.tif 000017
【図１１ａ】
2004329946.tif 000018
【図１１ｂ】
2004329946.tif 000019
【図１２ａ】
2004329946.tif 000020
【図１２ｂ】
2004329946.tif 000021
【図１３ａ】
2004329946.tif 000022
【図１３ｂ】
2004329946.tif 000023
【図１４ａ】
2004329946.tif 000024
【図１４ｂ】
2004329946.tif 000025
【図１５ａ】
2004329946.tif 000026
【図１５ｂ】
2004329946.tif 000027
【図１６ａ】
2004329946.tif 000028
【図１６ｂ】
2004329946.tif 000029
【図１６ｃ】
2004329946.tif 000030
【図１７ａ】
2004329946.tif 000031
【図１７ｂ】
2004329946.tif 000032
【図１７ｃ】
2004329946.tif 000033
【図１８】
2004329946.tif 000034
【図１９】
2004329946.tif 000035